(57)【特許請求の範囲】
【請求項１】
液透過性の表面シート、液不透過性の裏面シート及び両シート間に介在された液保持性の吸収体を備え、着用者の脚廻りに配される一対のレッグ部に、それぞれレッグギャザー形成用のレッグ部弾性部材が伸長状態で配されており、一対の立体ギャザーが腹側部から背側部に亘って形成されているパンツ型の吸収性物品において、
前記レッグ部弾性部材は、第１及び第２弾性部材からなり、第１及び第２弾性部材それぞれは、前記レッグ部に配されたギャザー形成部と、該ギャザー形成部から吸収性物品の幅方向中央部に向かって延出する延出部とを有しており、
第１及び第２弾性部材それぞれの前記ギャザー形成部は、第１固定手段により吸収性物品の構成材に固定されており、
第１及び／又は第２弾性部材の前記延出部は、前記吸収体が存在する部位において、第２固定手段により吸収性物品の構成材に固定されており、該吸収体が存在する部位に位置する該延出部の少なくとも一部は弾性伸縮性を発現するようになされており、
第１及び第２弾性部材は、前記吸収体が存在する部位の幅方向中央部に存在しないか又は該幅方向中央部においては弾性伸縮性を発現しないようになされており、
前記立体ギャザーの固定端が、股下部の少なくとも一部において、前記吸収体の側縁よりも幅方向外方に位置する吸収性物品（但し、第１又は第２弾性部材が固定されているシートが、股下部に、吸収性物品の幅方向に亘る折り畳み部を有するものを除く。）。
【請求項２】
第１及び第２固定手段が共に接着剤であり、第２固定手段としての接着剤は、第１固定手段としての接着剤よりも強い接合強度が得られるように施されている請求項１記載の吸収性物品。
【請求項３】
前記表面シート、前記裏面シート及び前記吸収体を有する吸収性本体と、該吸収性本体の非肌当接面側に位置して該吸収性本体を固定している外層体とを備え、
第１及び第２弾性部材それぞれの前記ギャザー形成部は、第１固定手段としての接着剤により、前記外層体を構成する２枚のシート間に伸長状態で固定されており、
第１及び／又は第２弾性部材の前記延出部は、第２固定手段としての接着剤により、前記外層体を構成する前記２枚のシート間に固定されており、
第２固定手段としての接着剤の塗工坪量が、第１固定手段としての接着剤の塗工坪量より大きいか、又は第２固定手段としての接着剤が、第１固定手段としての接着剤が塗工された領域の一部に重ねて塗工されている、請求項１記載の吸収性物品。
【請求項４】
第１及び第２弾性部材は、吸収性物品配設時の伸張率における弾性応力がそれぞれ３０ｇｆ以上である請求項１〜３の何れかに記載の吸収性物品。
【発明の詳細な説明】
【０００１】
【発明の属する技術分野】
本発明は、フィット性に優れ、装着感及び漏れ防止性に優れた使い捨ておむつ等の吸収性物品に関する。
【０００２】
【従来の技術及び発明が解決しようとする課題】
従来、レッグギャザー形成用のレッグ部弾性部材を、着用者の脚廻りに配されるレッグ部の一方から他方へと股下部を横断するように配すると共に、該レッグ部弾性部材を、股下部において切断した使い捨ておむつが知られている。
【０００３】
斯かる使い捨ておむつにおいては、前記レッグ部弾性部材として、通常、伸長応力が小さく、それを挟持するシート材との接着性の良い非常に細い糸ゴムが用いられている。しかし、伸長応力の小さい弾性部材を用いたのでは、脚廻りの締め付け力が不足し、装着者の激しい運動に追従できずに、尿や便の漏れを生じる恐れがある。他方、伸長応力の大きい弾性部材を用いたのでは、製造中又は装着中に、股下部の切断による伸長状態の解除がレッグ部の側縁にまで達する、いわゆるゴム抜けが生じる恐れがある。
【０００４】
また、レッグ部弾性部材を股下部で切断した使い捨ておむつは、吸収体のヨレが防止され吸収体の吸収能力を効果的に発現させることができるが、反面、吸収体が股下部に凹状のポケット構造を形成しにくくなるため、排泄物の保持性及び漏れ防止性が低下する。
【０００５】
従って、本発明の目的は、脚廻りに良好な締め付け力を得ることができると共に製造中又は装着中における、レッグ部弾性部材のゴム抜けを防止でき、しかも、股下部における吸収体が凹状に変形すると共に立体ギャザーが良好に起立することにより股下部に、排泄物の保持性及び防漏性に優れたポケット構造が形成され、装着感及び漏れ防止性に優れ、更に装着も容易なパンツ型の吸収性物品を提供することにある。
【０００６】
【課題を解決するための手段】
本発明は、液透過性の表面シート、液不透過性の裏面シート及び両シート間に介在された液保持性の吸収体を備え、着用者の脚廻りに配される一対のレッグ部に、それぞれレッグギャザー形成用のレッグ部弾性部材が伸長状態で配されており、一対の立体ギャザーが腹側部から背側部に亘って形成されているパンツ型の吸収性物品において、前記レッグ部弾性部材は、第１及び第２弾性部材からなり、第１及び第２弾性部材それぞれは、前記レッグ部に配されたギャザー形成部と、該ギャザー形成部から吸収性物品の幅方向中央部に向かって延出する延出部とを有しており、第１及び第２弾性部材それぞれの前記ギャザー形成部は、第１固定手段により吸収性物品の構成材に固定されており、第１及び／又は第２弾性部材の前記延出部は、前記吸収体が存在する部位において、第２固定手段により吸収性物品の構成材に固定されており、該吸収体が存在する部位に位置する該延出部の少なくとも一部は弾性伸縮性を発現するようになされており、第１及び第２弾性部材は、前記吸収体が存在する部位の幅方向中央部に存在しないか又は該幅方向中央部においては弾性伸縮性を発現しないようになされており、前記立体ギャザーの固定端が、股下部の少なくとも一部において、前記吸収体の側縁よりも幅方向外方に位置する吸収性物品を提供することにより、前記目的を達成したものである。
【０００７】
【発明の実施の形態】
以下、本発明をその好ましい実施形態に基づいて説明する。
本発明の吸収性物品の一実施形態としての使い捨ておむつ１は、パンツ型の使い捨ておむつであり、図１〜３に示すように、液透過性の表面シート２、液不透過性の裏面シート３及び両シート２，３間に介在された液保持性の吸収体４を有する吸収性本体１０と、該吸収性本体１０の外側（非肌当接面側）に位置して該吸収性本体１０を接合固定している外層体５とを具備し、着用時に着用者の腹側に配される腹側部Ａの両側縁Ａ１，Ａ２と背側に配される背側部Ｂの両側縁Ｂ１，Ｂ２とが、ヒートシール、高周波シール、超音波シール等の公知の接合手段により互いに接合されて、ウエスト開口部７及び一対のレッグ開口部８，８が形成されている。
【０００８】
吸収性本体１０は、縦長矩形状をなし、その長手方向を使い捨ておむつ１の長手方向に一致させて、おむつ１の腹側部Ａから背側部Ｂに亘るように、公知の接合手段により外層体５の幅方向中央部に接合されている。吸収体４は、長手方向中央部の括れた砂時計状をなし、表面シート２及び裏面シート３間に挟持固定されている。吸収体４としては、従来おむつに用いられているものを特に制限なく用いることができる。
本明細書において、おむつ（吸収性物品）の長手方向とは、おむつ（吸収性物品）を、図２に示すように平面状に展開した状態における腹側部Ａと背側部Ｂとを結ぶ方向（図２の上下方向）である。
【０００９】
本使い捨ておむつ１においては、腹側部Ａから背側部Ｂに亘って、一対の立体ギャザー６，６が形成されている。具体的には、吸収性本体１０の長手方向左右両側部に、吸収性本体１０の幅方向内方側に自由端６１を有し外方側に固定端（立ち上がりの基端）６２を有する立体ギャザー６が形成されている。各立体ギャザー６における自由端６１近傍には、該自由端６１に沿って、立体ギャザー用弾性部材６３が伸縮自在に配設されている。
【００１０】
各立体ギャザー６は、弾性部材６３を有する立体ギャザー形成用の所定幅のシート材６４を、吸収性本体１０の両側部に配設して形成されている。
立体ギャザー６の固定端（立ち上がりの基端）６２は、立体ギャザー形成用のシート材６４の所定箇所を、ヒートシール、接着剤等の公知の接合手段により、表面シート２に接合固定して形成されている。立体ギャザー６の固定端（立ち上がりの基端）６２は、おむつを展開して平面視した状態（図２）において、吸収性本体１０の両側縁より若干内側の位置に該両側縁と平行に形成されている。
尚、本使い捨ておむつ１は、幅方向における立体ギャザー６の外側に、自由端部に弾性部材６５を有する第２の立体ギャザー６Ａを有するが、本発明の吸収性物品は、このような第２の立体ギャザー６Ａを有しない形態とすることもできる。図３中の符号６６は、第２の立体ギャザー６Ａの固定端を示す。
【００１１】
ウエスト開口部７には、その開口縁部に沿って複数のウエストギャザー形成用のウエスト弾性部材７１が所定間隔に伸長状態で配され、その全周に亘って実質的に連続した環状のウエストギャザーが形成されている。
【００１２】
着用者の脚廻りに配される一対のレッグ部８０，８０には、それぞれレッグギャザー形成用のレッグ部弾性部材８１が伸長状態で配されている。
各レッグ部弾性部材８１は、腹側部Ａから股下部Ｃに亘り配設される第１弾性部材８１ａ及び背側部Ｂから股下部Ｃに亘り配設される第２弾性部材８１ｂからなり、第１及び第２弾性部材８１ａ，８１ｂそれぞれは、レッグ部８０に配されたギャザー形成部８１ａ’，８１ｂ’と、該ギャザー形成部からおむつ１の幅方向中央部に向かって延出する延出部８１ａ”，８１ｂ”とからなる。
両弾性部材８１ａ，８１ｂのギャザー形成部８１ａ’，８１ｂ’は、凹状に形成された股下部Ｃの側縁に沿うように湾曲しており、延出部８１ａ”，８１ｂ”は、ギャザー形成部の湾曲方向とは逆向きに湾曲し、股下部Ｃの側縁から離れる方向に延びている。
両弾性部材８１ａ，８１ｂは、股下部Ｃにおいて互いに交叉しており、股下部Ｃにおける左右両側に一対の交叉部Ｋ，Ｋ形成されている。
【００１３】
第１及び第２弾性部材８１ａ，８１ｂそれぞれのギャザー形成部８１ａ’，８１ｂ’は、第１固定手段としての接着剤により、使い捨ておむつ１の構成材としての外層体５に伸長状態で固定されている。より具体的には、第１及び第２弾性部材８１ａ，８１ｂは、外層体５を構成する二枚のシート材５１，５２間に配されており、各ギャザー形成部８１ａ’，８１ｂ’は、接着剤を介して両シート材５１，５２の何れかに接着されて固定されている。
図４における斜線部（左下がりの斜線を表した部分）Ｐ１は、第１固定手段としての接着剤が施された領域を示している。
【００１４】
第１及び第２弾性部材８１ａ，８１ｂそれぞれの一方の端部８２，８２は、腹側部Ａ又は背側部Ｂの側縁部に位置しており、おむつ１の腹側部Ａの両側縁Ａ１，Ａ２と背側部Ｂの両側縁Ｂ１，Ｂ２とが互いに接合された状態では、両弾性部材８１ａ，８１ｂの端部８２，８２同士が実質的に連結された状態となって、図１に示すように、おむつ１のレッグ開口部８，８の開口周縁部に、その全周に亘って実質的に連続した環状のレッグギャザーが形成されている。
【００１５】
本実施形態の使い捨ておむつにおいては、図４に示すように、第１及び第２弾性部材８１ａ，８１ｂそれぞれの延出部８１ａ”，８１ｂ”及びギャザー形成部８１ａ’，８１ｂ’の一部（延出部８１ａ”，８１ｂ”の近傍部）が、第２固定手段としての接着剤により、吸収性物品の構成材としての外層体５、より具体的には、外層体５を構成する二枚のシート材５１，５２間に固定されている。
図４には、第２固定手段としての接着剤を施した箇所を符号Ｓ（右下がり斜線部）で示してある。図示の如く、本実施形態においては、第２固定手段としての接着剤は、第１固定手段としての接着剤が施された領域Ｐ１の一部に重ねて施されている。より具体的には、股下部Ｃの幅方向には、第１及び第２弾性部材８１ａ，８１ｂが二枚のシート５１，５２間に第１固定手段により固定された接着領域Ｐ１と、第１固定手段により固定されていない非接着領域Ｐ２とが形成されており、本実施形態における第２の固定手段としての接着剤は、該接着領域Ｐ１の一部に重ねて施されている。
【００１６】
また、第１及び第２弾性部材８１ａ，８１ｂは、吸収体４が存在する部位Ｆに位置する延出部８１ａ”，８１ｂ”の少なくとも一部Ｊ，Ｊが、弾性伸縮性を発現するようになされている。即ち、吸収体４が存在する部位Ｆに位置し且つ第２固定手段としての接着剤が施された部位Ｓに位置する部分Ｊ，Ｊが、伸長状態を維持した状態で固定されており、弾性伸縮性を発現する。
吸収体４が存在する部位に位置する延出部８１ａ”及び／又は延出部８１ｂ”が弾性伸縮性を発現する部分の幅（Ｗ２＋Ｗ２）は、その部位における吸収体４の幅Ｗに対して５〜７０％、特に５〜５０％であることが好ましい。
【００１７】
本発明における第１固定手段は、レッグ部弾性部材のギャザー形成部を、吸収性物品の構成材、好ましくはシート材に固定するための手段であり、第１固定手段としては、接着剤、ヒートシール、超音波シール等が挙げられるが、本実施形態におけるように接着剤であることが好ましい。第１固定手段としての接着剤としては、各種公知の接着剤を用いることができるが、ホットメルト接着剤が好ましく、特に、ＳＥＢＳ系、ＳＢＳ系、ＳＩＳ系のホットメルト接着剤が好ましい。
【００１８】
本発明における第２固定手段は、吸収体が存在する部位において、レッグ部弾性部材の延出部を、吸収性物品の構成材、好ましくはシート材に固定するための手段であり、第１固定手段とは異なる手段、又は第１固定手段と同じ手段であるが、第１固定手段よりも強い接合強度が得られるように施されるか若しくは第１固定手段を施す工程とは異なる工程（好ましくは第１固定手段の工程よりも後の工程）で施された手段をいい、第２固定手段としては、ヒートシール、超音波シール又は接着剤、特に接着剤が好ましい。
【００１９】
第１固定手段と第２固定手段とが異なる手段である場合の例としては、第１固定手段が接着剤であり、第２固定手段がヒートシール、超音波シール等の加熱及び／又は加圧処理である場合を挙げることができる。
第１固定手段と第２固定手段とが同じ手段であるが、第１固定手段よりも強い接合強度が得られるように施される場合の例としては、第１及び第２固定手段が共に接着剤であるが、(a) 第２固定手段としての接着剤の塗工坪量（単位面積当たりの塗工量）が第１固定手段の塗工坪量よりも大きい場合、(b) 第２固定手段としての接着剤が第１固定手段としての接着剤に重ねて塗工されている場合、(c) 接着剤の種類又は組成が異なる場合、(d) 第２固定手段の塗工パターンが第１固定手段の塗工パターンと異なる場合、及び(e) 上記(a) 〜(d) の２以上の組み合わせ等を挙げることができる。
【００２０】
第１及び第２弾性部材８１ａ，８１ｂは、吸収体４が存在する部位Ｆの幅方向中央部には存在していない。
即ち、一対の第１弾性部材８１ａ，８１ａの延出部８１ａ”，８１ａ”同士は、股下部Ｃの幅方向中央部において連続しておらず、同様に、一対の第２弾性部材８１ｂ，８１ｂの延出部８１ｂ”，８１ｂ”同士も、股下部Ｃの幅方向中央部において連続していない。
そして、吸収体４が存在する部位Ｆの幅方向中央部に、両弾性部材８１ａ，８１ｂが存在しない所定幅の領域Ｅ１が形成されている。
また、両弾性部材８１ａ，８１ｂが存在しない領域Ｅ１の両側には、両弾性部材８１ａ，８１ｂが弾性伸縮性を発現しない領域Ｅ２が形成されている。
ここで、弾性伸縮性を発現しない領域とは、弾性部材が存在しているが、その弾性部材の伸長状態が解除されていたり、その弾性部材の弾性が熱処理等により消失している等により、その弾性部材が弾性伸縮性を発現しない領域をいう。
【００２１】
更に詳述すると、おむつ１の左右両側の両第１弾性部材８１ａ，８１ａは、おむつの製造ラインに、連続する一本の弾性部材として伸長状態にて導入された後、吸収体４が配される部位の中央部において、加熱加圧処理等の所定の手段により切断されて左右に分割されたものであり、両第２弾性部材８１ｂ，８１ｂについても同様である。
それぞれ一本の弾性部材として導入された第１及び２弾性部材８１ａ，８１ｂにおける第１及び／又は第２固定手段により固定された部分は、その切断によっても伸長状態を解除されることなく弾性伸縮性を発現するが、何れの固定手段によっても固定されていない部分は、その切断により伸長状態を解除されて、弾性伸縮性を発現しなくなる。
【００２２】
第１及び第２弾性部材８１ｂ，８１ｂが存在しないか又はこれら両弾性部材８１ｂ，８１ｂが弾性伸縮性を発現しない領域Ｅ１，Ｅ２の幅Ｗ１（図４参照）は、その部位における吸収体４の幅Ｗの３０〜９５％、特に５０〜９５％であることが好ましい。
【００２３】
本実施形態の使い捨ておむつ１における外層体５は、上記の一対のシート材５１，５２、即ち使い捨ておむつの外表面を形成する外層シート５１及び該外層シート５１の内側に積層接着された内層シート５２と、これらの両シート５１，５２間に配設され挟持固定された各弾性部材、即ちレッグ部弾性部材８１、ウエスト部弾性部材７１及び胴周囲部弾性部材９とからなる。
【００２４】
胴周囲部弾性部材９は、腹側部Ａ及び背側部Ｂそれぞれにおける胴周囲部Ｄの左右両側に、それぞれおむつ１の幅方向に所定間隔で複数配されている。胴周囲部Ｄとは、図１に示すように、ウエスト開口部７を上方に向けた状態において、ウエスト部弾性部材７１が配された位置より下方で且つレッグ開口部８，８よりも上方に位置する部分である。
胴周囲部弾性部材９は、それぞれ、少なくとも吸収体の両側縁４１，４１よりも外方の部位に弾性伸縮性が発現されるように伸張状態で配設固定されており、且つ吸収体４が存在する部位の少なくとも幅方向中央部には弾性伸縮性が発現される状態では配設されていない。
弾性伸縮性が発現される状態では配されていないとは、その部分に弾性部材が配されていない場合と、弾性部材が配されているが、その部分においては弾性伸縮性を発現しない場合の両者を包含する。
【００２５】
本使い捨ておむつ１においては、一対の立体ギャザー６，６の固定端（立ち上がりの基端）６２，６２が、股下部Ｃの少なくとも一部において、吸収体４の両側縁４１，４１よりも幅方向外方に位置している。即ち、図２及び図４に示すように、股下部Ｃにおける長手方向の中央部近傍、より具体的には、吸収体が存在する部位Ｆに位置し弾性伸縮性を発現する、前記延出部８１ａ”，８１ｂ”の一部Ｊ，Ｊが存在する部位及びその近傍において、各立体ギャザー６の固定端６２が、吸収体４の側縁４１よりも幅方向外方に位置している。尚、図４には、立体ギャザー６の固定端６２に対応する位置が、符号６２’で示してある。
【００２６】
一対の立体ギャザー６，６の固定端６２，６２は、股下部Ｃにおける長手方向のほぼ全域（好ましくは全域）に亘って、吸収体４の両側縁４１，４１よりも幅方向外方に位置していることが好ましいが、股下部Ｃの少なくとも一部において、吸収体４の両側縁４１，４１よりも幅方向外方に位置していれば良い。
【００２７】
立体ギャザー６の固定端６２が、吸収体４の両側縁４１よりも幅方向外方に位置するか否かは、おむつ１を図２に示すように展開した状態において、おむつ１の長手方向の各部位における幅方向の位置関係をみて判断する。
立体ギャザーの固定端６２が、吸収体４の側縁４１より幅方向の外方に位置する部分の長さは、展開状態のおむつ（図２参照）における股下部Ｃの長手方向の長さの３０％以上が好ましく、より好ましくは５０％以上である。
【００２８】
本実施形態の使い捨ておむつにおける外層体５は、例えば、第１固定手段としての接着剤を間欠的に塗布した外層シート５１上に、第１及び第２弾性部材８１ａ，８１ｂを、それぞれ連続した弾性部材として伸長状態にて導入して固定し、両弾性部材が固定された外層シート５１上又は該外層シート５１に貼り合わせる内層シート５２の貼り合わせ面に第２固定手段としての接着剤を塗布し、次いで、外層シート５１上に内層シート５２を貼り合わせ、その後、第１及び第２弾性部材を、幅方向中央部において切断して左右に分割し、しかる後、レッグ開口部形成用の余分な部分を切断除去することにより得ることができる。
【００２９】
本実施形態の使い捨ておむつ１の構成部材の形成材料について説明する。
表面シート２、裏面シート３、吸収体４、外層体５、立体ギャザー６形成用のシート材６４等の形成材料としては、従来、使い捨ておむつ等に用いられるものを特に制限なく用いることができる。尚、吸収体の一例を示せば、パルプ繊維等の繊維材料及び吸水性ポリマーをティッシュペーパーや不織布等の液透過性の被覆材で包んでなるものが挙げられる。
【００３０】
各部の弾性部材６３，６５，７１，８１，９の形成材料としては、使い捨ておむつ等に用いられる各種公知の弾性材料を特に制限なく用いることができ、例えば、素材としては、スチレン−ブタジエン、ブタジエン、イソプレン、ネオプレン等の合成ゴム、天然ゴム、ＥＶＡ、伸縮性ポリオレフィン、スパンデックス、発泡ポリウレタン等の伸縮性の素材を広く用いることができ、形態としては、断面が矩形、正方形、円形、多角形状の糸状のものやテープ状のものが好ましく、フィルムタイプのものを用いることもできる。熱によって可塑化する性質の弾性部材も特に好適に用いられる。
【００３１】
外層体を構成する一対のシート材、即ち外層シート５１及び内層シート５２の形成材料としては、好ましくは液抵抗性、液不透過性で透湿性、通気性を有し、肌着に近い感触の高可撓性シートで、具体的には織布、不織布、フィルム、透湿フィルム、開孔フィルムや、これらの複合材等が用いられる。
【００３２】
本実施形態のパンツ型の使い捨ておむつ１は、通常のパンツ型の使い捨ておむつと同様にして使用することができる。
本実施形態の使い捨ておむつ１においては、吸収体４の存在する部位Ｆに、レッグ部弾性部材８１が存在しない領域Ｅ１及びレッグ部弾性部材８１が弾性伸縮性を発現しない領域Ｅ２が形成されているため、着用中に吸収体４が縮み難くなり、そのため、吸収体４が本来有する吸収性能が効率的に発現されるので、優れた吸収能力が発現される。また、充分な吸収性能を維持しながら吸収体４の幅を狭くすることもできるため、吸収体４の小型化、使用材料の削減等を図ることができる。また、吸収体がひだ寄せされ難いので、はかせ易く、すっきりした外観を有する。
【００３３】
また、使い捨ておむつ１においては、第１及び第２弾性部材８１ａ，８１ｂが所定の箇所において第２固定手段により固定されているため、両弾性部材として、平ゴム等の伸縮応力が大きい弾性部材や、タルクが表面に付着している天然ゴム等の接着性の悪い弾性部材を用いた場合、更に、伸縮応力の小さい弾性部材を高伸長率で配設した場合においても、いわゆるゴム抜けが生じることがない。従って、脚廻りに適正な締め付け力が得られるように、レッグギャザー形成用の弾性部材及びその配設伸張率を適宜に決定することができ、効率的且つ経済的に、フィット性や吸収性能の向上を図ることができる。
脚廻りに適正な締め付け力が得られるようにして、フィット性や吸収性能に優れた使い捨ておむつを得る観点から、第１及び／又は第２弾性部材８１ａ，８１ｂは、帯状の弾性部材（例えば幅１〜７ｍｍの平ゴム等）であることが好ましい。また、同様の理由から、第１及び第２弾性部材は、吸収性物品配設時の伸張率における弾性応力がそれぞれ３０ｇｆ以上であることが好ましい。尚、上限は２００ｇｆ程度である。
即ち、レッグ部のフィット性を高めるためには、第１及び第２弾性部材の弾性応力は３０ｇｆ以上であることが好ましいが、この場合、本実施形態の様に延出部において第１及び第２弾性体を切断すると抜けが生じやすくなる。特に平ゴム（幅１〜７ｍｍ）を使用して、脚廻りにレッグ部を面で当てるとフィット性と漏れ防止能を高めることができ好ましいが、この場合には特に抜けが生じやすくなる。これらの場合、本発明のように第１固定手段に加えて第２固定手段を延出部若しくは延出部近傍に設けることで高いフィット性と漏れ防止性を実現しながらしかも激しい動きに対しても弾性体の抜けを生じることがない。
【００３４】
尚、弾性部材の「吸収性物品配設時の伸張率」及び「弾性応力」は、それぞれ以下のようにして測定する。
〔伸長率〕  製品を展開した状態（平面状に拡げた状態，図２参照）で、弾性部材に所定間隔（Ｘ）に印を付けた後、該弾性部材を挟持されているシートから剥がし取り、該弾性部材自体が完全に収縮した状態での前記印の間隔（Ｙ）を測定し、｛（Ｘ／Ｙ）−１｝×１００（％）を伸張率とする。
〔弾性応力〕  弾性部材単体を、引張試験機で初期長５０ｍｍ、引張速度３００ｍｍ／ｍｉｎで引っ張り、所定の伸張率に達した時の応力を読み取る。
【００３５】
また、吸収体４が存在する部位Ｆに位置する延出部８１ａ”，８１ｂ”の少なくとも一部が、弾性伸縮性を発現するようになされているため、図５に示すように、吸収体４の両側部４ａ，４ａが上方に向かって持ち上げられ、着用時における股下部Ｃには、吸収体４の幅方向中央部４ｂを底部とし、持ち上げられた吸収体の両側部４ａ，４ａを側壁部とする凹状のポケット構造Ｐが形成される。そのため、優れた防漏性が得られる。
しかも、前記延出部８１ａ”，８１ｂ”が、吸収体４が存在する部位において、第２固定手段により固定されているため、上記のポケット構造は安定化しており、優れた防漏効果が確実に発揮される。
また、股下部Ｃの幅が狭くなるため、装着も容易となる。
【００３６】
更に、立体ギャザー６の固定端６２が、股下部の少なくとも一部において、前記吸収体の側縁よりも幅方向外方に位置するため、立体ギャザーが表面シート上に伏倒して機能を発現しなくなることが防止され、上記のポケット構造が一層排泄物の保持性及び防漏性に優れたものとなる。
【００３７】
以上、本発明の一実施形態について説明したが、本発明は、その趣旨を逸脱しない範囲において種々変更が可能である。
例えば、第２固定手段は、ヒートシールであっても良い。図６は、第２固定手段としてヒートシールを施した例を示すもので、ヒートシールを施した部位をＳで示してある。図６に示す外層体５は、第１固定手段としての接着剤を間欠的に塗布した外層シート５１上に、第１及び第２弾性部材８１ａ，８１ｂを、それぞれ連続した弾性部材として伸長状態にて導入して固定し、両弾性部材が固定された外層シート５１上に内層シート５２を貼り合わせ、その後、第１固定手段による接着領域Ｐ１と非接着領域Ｐ２の境界部近傍をヒートシールすることにより第１及び第２弾性部材８１ａ，８１ｂを更に強固に固定し、次いで、第１及び第２弾性部材を、幅方向中央部において切断して左右に分割した後、レッグ開口部形成用の余分な部分を切断除去することにより得ることができる。
【００３８】
また、レッグ部弾性部材８１は、最外表面を形成しない外層体５の構成シートと、該構成シートに隣接する他のシートとの間、あるいは、裏面シート３と外層体５を構成するシートとの間等に配されていても良い。
また、第１及び第２弾性部材８１ａ，８１ｂの何れか一方のみが第２固定手段により、おむつ１の構成材に固定されていても良い。また、第１及び第２弾性部材８１ａ，８１ｂは、それぞれ複数本でも一本でも良い。
腹側部Ａ及び／又は背側部Ｂにおける胴周囲部弾性部材は、省略することもできる。また、吸収体が存在する部位Ｆの幅方向中央部には、第１及び第２弾性部材が存在しない部位Ｅ１と第１及び第２弾性部材が存在するが弾性伸縮性を発現しない部位Ｅ２の何れか一方のみが存在していても良い。両レッグ部の第１及び第２弾性部材は、弾性伸縮性を発現しない部分を介して連続していても良い。
【００３９】
また、第１固定手段は、股下部Ｃにおける幅方向の全域に亘るように施されていても良い。第１固定手段が全面に施されている場合においても、通常、弾性体が切断されるとその保持力は不十分であるため、ゴム抜けが発生し、レッグ部で弾性伸縮性が発現されなくなる場合がある。第２固定手段を設けることにより、そのゴム抜けがレッグ部に及ぶのを防ぐことができる。
本発明は、パンツ型の使い捨ておむつの他、パンツ型の生理用ナプキン等にも適用することもできる。
【００４０】
【発明の効果】
本発明の吸収性物品は、脚廻りに良好な締め付け力を得ることができると共に製造中又は装着中における、レッグ部弾性部材のゴム抜けを防止でき、しかも、股下部における吸収体が凹状に変形すると共に立体ギャザーが良好に起立することにより股下部に、排泄物の保持性及び防漏性に優れたポケット構造が形成され、装着感及び漏れ防止性に優れており、更に装着も容易なパンツ型の吸収性物品を提供ものである。
【図面の簡単な説明】
【図１】図１は、本発明の一実施形態としての使い捨ておむつを示す斜視図である。
【図２】図２は、図１に示す使い捨ておむつの展開状態（緊張状態）を示す平面図である。
【図３】図３は、図１のＸ−Ｘ線断面図を示す図である。
【図４】図４は、図１の使い捨ておむつの外層体を展開状態にて示す平面図である。
【図５】図５は、図１の使い捨ておむつの着用時の状態を模式的に示す図である。
【図６】図６は、本発明の他の実施形態としての使い捨ておむつの外層体を示す平面図（図４相当図）である。
【符号の説明】
１    使い捨ておむつ
１０    吸収性本体
２      表面シート
３      裏面シート
４      吸収体
４１    吸収体の側縁
５      外層体
６      立体ギャザー
６２    固定端
７      ウエスト開口部
７１    ウエスト部弾性部材
８      レッグ開口部
８１    レッグ部弾性部材
８１ａ  第１弾性部材
８１ｂ  第２弾性部材
Ａ    腹側部
Ｂ    背側部
Ｃ    股下部
【図１】
0004111687.tif 000002
【図２】
0004111687.tif 000003
【図３】
0004111687.tif 000004
【図４】
0004111687.tif 000005
【図５】
0004111687.tif 000006
【図６】
0004111687.tif 000007